(57)【要約】【課題】飲食店等で顧客が持参する各種の手荷物を、顧客が着席する椅子の側部で収納保管し、身近に置くことで常時確認、監視でき、安心して飲食できるようにする。【解決手段】椅子Ｃに取り付け可能にしてある揺動開閉自在な支持体１内に開閉自在な収納バッグ２０を着脱自在に支持装着する。支持体１は、椅子Ｃの脚に沿う前後の脚枠部３の相互を上枠部４にて連結した支持フレーム２と、この支持フレーム２に対して側方に揺動拡開可能に連結されていて、折畳時の脚枠部３に沿う前後の揺動側枠部６の相互を揺動上枠部７，揺動下枠部８にて連結した揺動フレーム５と、椅子Ｃの脚に支持フレーム２を取り付ける取付手段１０と、支持フレーム２の下端に設けられたキャスター機構１５とを備える。収納バッグ２０は、バッグ本体２１の開口部に、支持フレーム２の上枠部４、揺動フレーム５の揺動上枠部７それぞれに係合、固定される支持固定部２２を設ける。【選択図】図１
2015150202.tif 000002
【特許請求の範囲】
【請求項１】
椅子に取り付け可能にしてある揺動開閉自在な支持体と、この支持体内に着脱自在に支持装着される開閉自在な収納バッグとから成り、支持体は、椅子の脚に沿うように配置される前後の脚枠部の上端相互を上枠部にて連結して形成した支持フレームと、この支持フレームに対して側方に揺動拡開可能にして軸支部によって連結されていて、支持フレームに対する折畳時の脚枠部に沿う前後の揺動側枠部の上端相互を、同じく折畳時の上枠部に沿う揺動上枠部によって、また前後の揺動側枠部の下端相互を揺動下枠部によってそれぞれ連結して形成した揺動フレームと、椅子の脚に支持フレームを取り付ける取付手段と、支持体自体を床面上で支持し、椅子の移動に追随させるよう支持フレームの下端に設けられたキャスター機構とを備えて成り、収納バッグは、所定深さのバッグ本体の開口部に、支持体が揺動開放されたときの支持フレームの上枠部、揺動フレームの揺動上枠部それぞれに係合、固定される支持固定部を設けて成ることを特徴とする手荷物収納装置。
【請求項２】
軸支部は、支持フレームの脚枠部と揺動フレームの揺動側枠部との軸支部位において、揺動側枠部の下端、脚枠部の軸支部位それぞれを圧潰して扁平化すると共に、扁平化した部分に軸ピンを貫挿して成る請求項１に記載の手荷物収納装置。
【請求項３】
取付手段は、椅子の脚に巻回可能にした所定長さのバンド片を支持フレームにおける脚枠部に連結すると共に、バンド片の両面に所定長さの面ファスーを設けて成る請求項１または２に記載の手荷物収納装置。
【請求項４】
キャスター機構は、支持フレームの下端に固定され、下端の開口が窄まっている筒状のキャスターケースと、このキャスターケース内の上部に内装されていて、下端面が彎曲面となっている支持ブロックと、支持ブロックの彎曲面に当接しながらキャスターケース下端から臨ませられて床面上で転動するキャスターボールとから成る請求項１乃至３のいずれかに記載の手荷物収納装置。
【請求項５】
収納バッグの支持固定部は、支持体内に配置したバッグ本体の開口部縁を支持体の内方から支持フレームの上枠部、揺動フレームの揺動上枠部それぞれの外側に折り返し、折り返した内側面相互間を取り外し可能に止着して成る請求項１乃至４のいずれかに記載の手荷物収納装置。
【請求項６】
収納バッグは、バッグ本体における平面で矩形状に広がる底部の外側面に、この底部の扁平状の折り畳み状態を維持するよう止着する保持部を設け、開口縁に形成した支持固定部内に、この支持固定部の拡開時に外出するよう折り込み状に内蔵した取っ手を付設して成る請求項１乃至５のいずれかに記載の手荷物収納装置。
【発明の詳細な説明】
【技術分野】
【０００１】
本発明は、主としてレストランその他の飲食店において、来店し、飲食する顧客等が持参、携帯等するバッグその他の手荷物を椅子の側部で保管、保持でき、身近に置くことで手荷物を安全に管理、監視可能にして盗難を防止でき、しかも保管したままでの椅子の移動等に追随して椅子と共に手荷物をスムーズに移動でき、また非使用時ではコンパクトに縮小できて邪魔にならないようにした手荷物収納装置に関する。
【背景技術】
【０００２】
従来から飲食店においての飲食に際し、来店者が携帯する各種の手荷物は、自席にまで持参すると邪魔になることがあるから一時的に預けたり、例えばテーブル下に設けられている荷物入れ・棚等に収納したりしている。ただ、一時的に預けた場合、飲食店側の責任において保管しなければならず、顧客それぞれに対応した受け渡しが必要となるから面倒である。また、テーブル下に荷物入れ・棚等が設けられていて、これを利用するとしても、テーブル下の空間が狭く、邪魔にもなり、落ち着いた雰囲気で飲食を楽しむことができないし、床面に直接置くと、食べこぼしや汚れが付着する虞がある。
【０００３】
こうした点を解消すべく、例えば特許文献１に係る手荷物保持具、特許文献２に係る洗濯物物収納用袋を利用した自立式の収納具、特許文献３に係る手荷物置台等が提案されている。特許文献１の手荷物保持具は、椅子の座盤下面あるいは椅子における前後の脚部相互間に支持される固定保持体に、固定保持体の下部を支点として起伏自在な手荷物保持具を設けると共に、この手荷物保持具を、前記支点に配したスプリングの付勢力で手荷物等を固定保持体側に挟着支持するようにして成る。特許文献２の収納用袋を利用した自立式の収納具は、側面から見てＸ字状に交差させて開閉自在となる四角枠状のフレームを形成し、このフレームの左右上部相互間内に収納袋を懸架状に配装して成る。特許文献３の手荷物置台は、椅子の下方空間内に椅子の側方に引き出し可能にして収納される載置部を形成し、この載置部の一端には把持部を立設状に連結し、載置部の他端には椅子の脚部内側面に係止するストッパ部を設けて成る。
【先行技術文献】
【特許文献】
【０００４】
【特許文献１】特開平９−３８８号公報
【特許文献２】特開平９−２４９１号公報
【特許文献３】登録実用新案第３０９９１５９号公報
【発明の概要】
【発明が解決しようとする課題】
【０００５】
ところが特許文献１の手荷物保持具では、比較的に大型で重量的に嵩張るものの場合には、椅子の座盤部位が重心位置となるようになり、重量的なアンバランスが生じて不安定になるばかりでなく、椅子から立ち上がったときなどに椅子が倒れることがある。特許文献２の自立式の収納具では、テーブル等に着席する個々の顧客毎に収納具を用意すると、テーブル回りが実質的に狭くなり、テーブル毎に纏めるように１個の収納具で対応させようとする場合には、テーブル毎の顧客が持参する全部の手荷物を収納できないこともある。そればかりでなく、収納具の置き場所を例えば椅子の後部・後方とすると、その監視ができないために盗難に遭うこともあり、その保管は安心できず、確実ではない。特許文献３の手荷物置台では、他人によって置台自体が引き出されることで、盗難に遭う虞もあり、うっかりすると手荷物を持ち帰るのを失念してしまうこともある。
【０００６】
そこで本発明は上述したような従来存した諸事情に鑑み創出されたもので、その目的は例えばレストランその他の飲食店において顧客が携帯、持参するバッグその他の手荷物を顧客自身が着席する各自の椅子に保管収納でき、収納した状態で椅子を移動してもそれに追随、移動し、また不使用時ではコンパクトに折り畳まれて邪魔にならずに済み、必要時では拡開使用することで顧客には手荷物を身近に置かせることによって常時監視もでき、盗難に遭う虞もなく安心である等の手荷物収納装置を提供することにある。
【課題を解決するための手段】
【０００７】
上述した課題を解決するため、本発明にあっては、後述する発明を実施するための形態における使用符号を付記して説明すると、椅子Ｃに取り付け可能にしてある揺動開閉自在な支持体１と、この支持体１内に着脱自在に支持装着される開閉自在な収納バッグ２０とから成り、支持体１は、椅子Ｃの脚に沿うように配置される前後の脚枠部３の上端相互を上枠部４にて連結して形成した支持フレーム２と、この支持フレーム２に対して側方に揺動拡開可能にして軸支部９によって連結されていて、支持フレーム２に対する折畳時の脚枠部３に沿う前後の揺動側枠部６の上端相互を、同じく折畳時の上枠部４に沿う揺動上枠部７によって、また前後の揺動側枠部６の下端相互を揺動下枠部８によってそれぞれ連結して形成した揺動フレーム５と、椅子Ｃの脚に支持フレーム２を取り付ける取付手段１０と、支持体１自体を床面上で支持し、椅子Ｃの移動に追随させるよう支持フレーム２の下端に設けられたキャスター機構１５とを備えて成り、収納バッグ２０は、所定深さのバッグ本体２１の開口部に、支持体１が揺動開放されたときの支持フレーム２の上枠部４、揺動フレーム５の揺動上枠部７それぞれに係合、固定される支持固定部２２を設けて成ることを特徴とする。
軸支部９は、支持フレーム２の脚枠部３と揺動フレーム５の揺動側枠部６との軸支部位において、揺動側枠部６の下端、脚枠部３の軸支部位それぞれを圧潰して扁平化すると共に、扁平化した部分に軸ピンを貫挿して成ることで構成することができる。
取付手段１０は、椅子Ｃの脚に巻回可能にした所定長さのバンド片１１を支持フレーム２における脚枠部３に連結すると共に、バンド片１１の両面に所定長さの面ファスー１２を設けて成ることで構成することができる。
キャスター機構１５は、支持フレーム２の下端に固定され、下端の開口が窄まっている筒状のキャスターケース１６と、このキャスターケース１６内の上部に内装されていて、下端面が彎曲面となっている支持ブロック１７と、支持ブロック１７の彎曲面に当接しながらキャスターケース１６下端から臨ませられて床面上で転動するキャスターボール１８とから成ることで構成することができる。
収納バッグ２０の支持固定部２２は、支持体１内に配置したバッグ本体２１の開口部縁を支持体１の内方から支持フレーム２の上枠部４、揺動フレーム５の揺動上枠部７それぞれの外側に折り返し、折り返した内側面相互間を取り外し可能に止着して成ることで構成することができる。
収納バッグ２０は、バッグ本体２１における平面で矩形状に広がる底部の外側面に、この底部の扁平状の折り畳み状態を維持するよう止着する保持部２５を設け、開口縁に形成した支持固定部２２内に、この支持固定部２２の拡開時に外出するよう折り込み状に内蔵した取っ手２６を付設することで構成することができる。
【０００８】
以上のように構成された本発明に係る手荷物収納装置にあって、例えば飲食店における椅子Ｃの側部に収納バッグ２０を開閉自在に支持している支持体１を取り付けることで、来店した顧客は着席した自身の椅子Ｃに所定の手荷物Ｂを収納保管でき、手荷物Ｂを身近に置いて顧客自身で常時の監視、確認を可能にさせる。
収納バッグ２０は、支持体１における支持フレーム２と揺動フレーム５との揺動開閉によって、使用時では開放させての手荷物Ｂの収納保持、手荷物Ｂを取り出した閉鎖状態の不使用時では椅子Ｃの例えば側部で扁平状にコンパクト化させ、邪魔となるようにはさせない。
支持体１における支持フレーム２に設けた取付手段１０は、バンド片１１の面ファスー１２が椅子Ｃの脚の太さその他が異なっていてもこれに対応させた調整位置で巻回装着させる。
支持体１の支持フレーム２の下端に設けたキャスター機構１５は、取付手段１０にて椅子Ｃの脚に取り付けた支持フレーム２を床面上で直接に支持し、支持フレーム２内に収納保持した手荷物Ｂの荷重を支持し、その支持状態で椅子Ｃが移動されても、下端面が彎曲している支持ブロック１７とキャスターボール１８とが点接触状に当接していることとも相俟ち、椅子Ｃの移動に円滑に追随させ、顧客の一時的な離席時でも椅子Ｃを転倒させることなく維持させる。
収納バッグ２０は、開口部における支持固定部２２が、揺動開閉する支持フレーム２の上枠部４、揺動フレーム５の揺動上枠部７それぞれに固定支持されることで、支持体１自体の揺動開閉の範囲を規制し、手荷物Ｂを収納させるに足る必要以上に拡開させない。また上枠部４、揺動上枠部７それぞれに対して収納バッグ２０内方から折り返し状に支持してあることで、収納バッグ２０の開口部における手荷物Ｂの出し入れを容易にさせる。
収納バッグ２０の保持部２５は、矩形状に広がる底部を扁平状に折り畳ませて、支持体１における支持フレーム２に対する揺動フレーム５の揺動開放時の側面鋭角状の底部形状に対応させ、支持体１から取り外したときの拡開によって手荷物Ｂを安定的に収納保持し、支持固定部２２内から取り出した取っ手２６は、収納バッグ２０による手荷物Ｂの携帯を容易にさせる。
【発明の効果】
【０００９】
本発明は以上説明したように構成されているため、例えばレストランその他の飲食店において顧客が携帯、持参するバッグその他の手荷物Ｂを、顧客自身が着席する各自の椅子Ｃ毎に例えばその側部に取り付けられる本発明収納装置によって保管収納できるから、顧客にはその手荷物Ｂを身近に置くことで自身で常時監視できることになり、盗難に遭う虞もなく安心して飲食できることになる。また、保管時の手荷物Ｂの収納保持、使用後の手荷物Ｂの取り出しは支持体１、収納バッグ２０の開閉操作によって簡単に行うことができ、収納保持時の必要時では拡開して収納使用すれば良く、不使用時では折り畳むことでコンパクトになり、折り畳んだ状態で椅子Ｃに取り付けたままでも邪魔になることはない。しかも、手荷物Ｂを収納したときあるいは不使用時で折り畳んだときのいずれでも、椅子Ｃを移動することがあってもその移動に簡単、円滑に追随し、取り扱いも容易である。
【００１０】
すなわちこれは本発明において、椅子Ｃに取り付け可能にしてある揺動開閉自在な支持体１内に開閉自在な収納バッグ２０を着脱自在に支持装着し、支持体１は、椅子Ｃの脚に沿う前後の脚枠部３の相互を上枠部４にて連結した支持フレーム２と、この支持フレーム２に対して側方に揺動拡開可能に連結されていて、折畳時の脚枠部３に沿う前後の揺動側枠部６の相互を揺動上枠部７、揺動下枠部８それぞれにて連結した揺動フレーム５と、椅子Ｃの脚に支持フレーム２を取り付ける取付手段１０と、支持体１における支持フレーム２の下端に設けられたキャスター機構１５とを備えて成り、収納バッグ２０は、バッグ本体２１の開口部に、支持フレーム２の上枠部４、揺動フレーム５の揺動上枠部７それぞれに係合、固定される支持固定部２２を設けて成るものとしたからである。これによって、椅子Ｃの例えば側部に対する取付、取り付けたままでの椅子Ｃの移動と共に移動する追随性、支持体１及び収納バッグ２０の開閉操作による手荷物Ｂの出し入れの容易性、不使用時のコンパクト化を図り、しかも持参する手荷物Ｂの別場所での保管、収納、その監視等に煩わされることなく来店者は飲食等を楽しむことができるものとなる。
【００１１】
また、支持体１における軸支部９は、支持フレーム２と揺動フレーム５との軸支部位でそれぞれを圧潰して扁平化した部分に軸ピンを貫挿して成るから、揺動構成を簡素化させたものとすると共に、支持フレーム２に対する揺動フレーム５の開閉操作を円滑にし、支持している収納バッグ２０の開口部による最大開口幅での開放による規制によって、必要以上に揺動開放せず、開閉操作を安定させている。
【００１２】
取付手段１０は、椅子Ｃの脚に巻回可能にして脚枠部３に連結したバンド片１１の両面に所定長さの面ファスー１２を設けて成るから、異なる太さ、大きさの各種の椅子Ｃの脚に対応して調整した止着部位によって巻回装着でき、しかも巻回装着によって確実に固定でき、汎用性に富み、取り扱いも容易である。そればかりでなく、この取付手段１０は、椅子Ｃの脚に巻回させるにすぎないから、収納バッグ２０に収納した手荷物Ｂによる荷重その他によって支持体１を下方に押し下げさせることになり、キャスター機構１５による荷重の支持と共に安定性を一層向上させることができる。
【００１３】
支持体１における支持フレーム２の下端にキャスター機構１５を設けてあることで、揺動開放した収納バッグ２０内に収納保持した手荷物Ｂの荷重を床面に直接に支持させることができる。しかも、キャスター機構１５におけるキャスターボール１８は床面上で転動するとき、キャスターケース１６内の支持ブロック１７の下端面の彎曲面にキャスターボール１８が当接していることと相俟ち、極めてスムーズに転動し、重量的に嵩張る手荷物Ｂであっても支持体１自体を椅子Ｃの移動に追随させることができ、手荷物Ｂの重量、支持体１によって椅子Ｃの移動等が阻害されることもない。
【００１４】
収納バッグ２０は、支持体１内に配置された状態で支持固定部２２によって支持体１に支持され、この支持固定部２２では、バッグ本体２１の開口部縁を支持体１の内方から支持フレーム２の上枠部４、揺動フレーム５の揺動上枠部７それぞれの外側に折り返し、折り返した内側面相互間を取り外し可能に止着して成るから、収納バッグ２０を支持体１に開閉可能な状態で確実に装着でき、しかも収納バッグ２０の開口部内側面では出張る部分がないから、手荷物Ｂの収納バッグ２０内外での出し入れを容易、円滑にしている。
【００１５】
また、収納バッグ２０には、平面で矩形状とするときの底部の外側面に、この底部の扁平状の折り畳み状態を維持するよう止着する保持部２５を設けてあることで、支持体１に支持させるときの収納バッグ２０の底部を側面鋭角状に保形でき、これによって、揺動開閉する支持体１の軸支部位に対応でき、折畳時のコンパクト化にも役立つ。そればかりでなく、収納バッグ２０を例えばそのまま来店者、顧客等に提供しても良く、提供された収納バッグ２０内に手荷物Ｂを収納するとき、底部を拡開できて、収納携帯時の手荷物Ｂを安定化でき、また収納バッグ２０の開口部における支持固定部２２内に折り込み状にして付設した取っ手２６を外出させることで、収納バッグ２０による手荷物Ｂの携帯、持参を一層容易にさせる。しかも、このように顧客に提供するときには、例えば収納バッグ２０を不織布材製とすると共に、収納バッグ２０の外側面に宣伝広告を表示することで、安価な広告媒体として活用することもできる。
【００１６】
本発明に係る手荷物収納装置は、以上に説明した飲食店における来店者、顧客等の手荷物Ｂを収納保持する場合に限らず、例えば会議場、講演会場等で用意される椅子Ｃに取り付けることで参加者、出席者が携帯する各種の手荷物Ｂの一時的な保管収納に利用することも可能であり、その適用範囲は特に限定されない。
【００１７】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１８】
【図１】本発明を実施するための一形態を示す分解斜視図である。
【図２】同じく椅子に取り付けた使用状態の斜視図である。
【図３】同じく椅子に取り付けて使用するときの側面図である。
【図４】同じく椅子に取り付けて使用するときの不使用時の斜視図である。
【図５】同じく支持体に設けてあるキャスター機構の断面図である。
【図６】同じく収納バッグの他の形態を示し、その（ａ）は支持体に取り付けるときの斜視図、（ｂ）は拡げて手荷物等を収納し、携帯するときの斜視図である。
【発明を実施するための形態】
【００１９】
以下、図面を参照して本発明を実施するための一形態を説明すると、図において示される符号１は飲食店における例えば４脚式の椅子Ｃに取り付け可能にしてある揺動開閉自在な支持体であり、この支持体１は、支持フレーム２、揺動フレーム５から成り、かばんその他の手荷物Ｂを収納保持する収納バッグ２０を支持体１内で開閉自在に支持するようになっている。
【００２０】
支持フレーム２は、椅子Ｃにおける例えば左右側の前後の脚それぞれに沿うように配される前後の脚枠部３と、この前後の脚枠部３の上端相互を連結している上枠部４とからほぼ門字型に形成されており、例えば所定径のステンレス製の棒材・パイプ材等を折曲することで形成されている。
【００２１】
前後の脚枠部３は、飲食店等で使用されている一般・平均的な椅子Ｃにおける座面の高さにほぼ対応した高さとなるように設定され、また脚枠部３相互間の間隔、すなわち上枠部４長さは、椅子Ｃにおける前後の奥行長さに対応している。もとより、椅子Ｃにおける前後の奥行、座面高さの平均的なものに対応可能とするよう予め用意されるも、それぞれで異なる奥行、座面高さそれぞれに対応してその幾種類かを予め用意しておくことも可能である。
【００２２】
この支持フレーム２には、支持フレーム２に対して側方に揺動拡開可能にした揺動フレーム５が軸支部９によって連結されており、脚枠部３の下部に揺動支点を設定位置させる軸支部９で揺動フレーム５の下端を軸支してある。この揺動フレーム５は、支持フレーム２に対する折畳時の脚枠部３に沿う前後の揺動側枠部６と、同じく折畳時の上枠部４に沿っていて、前後の揺動側枠部６の上端相互を連結している揺動上枠部７と、前後の揺動側枠部６の下端相互を連結している揺動下枠部８とからほぼ矩形枠状に形成されており、支持フレーム２と同様に例えば所定径のステンレス製の棒材・パイプ材等を折曲することで形成されている。
【００２３】
この揺動フレーム５における揺動上枠部７は、支持体１自体が折り畳み状にされたときに支持フレーム２の上枠部４の下方に位置して、揺動フレーム５が支持フレーム２内に嵌り込むようにすることで、後述する軸支部９の軸支構造と相俟って、形成する棒材等の太さ内の幅員に収まるようにしてある。また、揺動下枠部８は、支持フレーム２における前後の脚枠部３相互間の幅員を設定し、これを維持して前後方向からの外力によっても歪形することがないようにした枠状の支持体１を形成している。
【００２４】
支持フレーム２に対して揺動フレーム５を揺動拡開させる軸支部９は、例えば脚枠部３と揺動側枠部６との軸支部位において、揺動側枠部６の下端、脚枠部３の軸支部位それぞれを圧潰して扁平化すると共に、扁平化した部分に軸ピンを貫挿、例えばボルト、ナット止めによる軸支構造とする（図３参照）。もとより、この軸支部９における軸支構造はこれに限定されず、要は支持フレーム２に対して所定角度範囲で揺動フレーム５を揺動して開閉させれば足りる。
【００２５】
また、支持体１には、椅子Ｃに支持フレーム２を取り付ける取付手段１０が、支持フレーム２の上下部それぞれに付設することで設けられている。図示例の取付手段１０は、支持フレーム２における脚枠部３に巻回状に連結した所定長さのバンド片１１の両面に所定長さの面ファスー１２を設けて成る。バンド片１１は、その一端にて脚枠部３に巻回させる筒部を形成し、他端側の一方の片面に面ファスー１２の雌面を、他方の片面に雄面をそれぞれ形成してあって、椅子Ｃの脚部に沿わせた脚枠部３と共に巻回させて適宜位置で止着することで支持フレーム２を脚部に取り付けできるようにしてある。このような巻回式に装着するバンド構造の取付手段１０とすることで、取付時の巻回長さが異なる場合にも脚部の太さ、径等に対する面倒な調整を要せずに対応できる。
【００２６】
図示を省略したが、この取付手段１０は、例えば脚部を弾撥的に挟み込むスプリング式挟着構造、強制的に挟み込むクリップ構造その他とすることも可能であるのは勿論であり、これに限定されない。
【００２７】
支持体１を椅子Ｃの脚部に取り付けたときの支持体１自体を床面上で支持し、椅子Ｃの移動に支持体１を追随させるキャスター機構１５が支持フレーム２の下端に設けられている。このキャスター機構１５は図５に示すように、支持フレーム２における脚枠部３の下端に固定され、下端の開口が窄まっている筒状のキャスターケース１６と、このキャスターケース１６内の上部から内装されていて、下端面が彎曲面となっている支持ブロック１７と、支持ブロック１７の彎曲面に当接しながらキャスターケース１６下端から臨ませられて床面上で転動するキャスターボール１８とから成る。
【００２８】
このキャスター機構１５は、支持体１が椅子Ｃの脚部に取り付けられたときには床面にキャスターボール１８が当接したものとなり、椅子Ｃの移動に追随して転動することで、支持フレーム２、すなわち支持体１自体をスムーズに移動させるものとしている。
【００２９】
また、支持体１における支持フレーム２、揺動フレーム５それぞれに被せるようにして支持体１内に吊り下げ状に支持される収納バッグ２０が支持体１に着脱自在に装着されるようにしてある。この収納バッグ２０は、支持体１が揺動開放されたときの支持フレーム２の上枠部４、揺動フレーム５の揺動上枠部７によって平面でほぼ矩形状となる開口部に対応した開口部を有する所定深さのバッグ本体２１の開口部に、支持フレーム２の上枠部４、揺動フレーム５の揺動上枠部７それぞれに例えば折り返し状にして係合、固定される支持固定部２２を設けて成る。
【００３０】
この収納バッグ２０自体は、支持体１の揺動開閉操作に伴い開閉され、閉鎖時には支持フレーム２、揺動フレーム５相互間内に折り畳まれ、開放時には所定の手荷物Ｂを収納保持できるようにしている。図示の収納バッグ２０の底部は、支持体１における支持フレーム２に対する揺動フレーム５の揺動開放時における軸支部位に対応させた側面鋭角状の底部形状にしてあるも、これに限定されるものではない。また収納バッグ２０の素材は、例えば所定のナイロン樹脂シート材、布帛材、ネット材、不織布材その他としてあり、ナイロン樹脂シート材とすることで洗浄可能であり、ネット材とすることで収納した手荷物Ｂを外観できると共に洗浄も容易であり、不織布材とすることで汚損された場合の一般可燃ゴミとして廃棄可能にできる。
【００３１】
図示例の支持固定部２２は、支持体１内に配置したバッグ本体２１の開口部縁を支持体１の内方から上枠部４、揺動上枠部７それぞれの外側に折り返し、折り返した内側面相互間を例えば面ファスナー、雌雄スナップ、雌雄ボタンその他によって取り外し可能にして止着して成る。
【００３２】
尚、図中符号２３は、支持体１において支持体１に対して揺動フレーム５を揺動させて収納バッグ２０を閉鎖したとき、その閉鎖状態を維持するように収納バッグ２０の開口部の対向した内側面同士を一時的にでも接合するようにした、例えば面ファスナー、雌雄スナップ、雌雄ボタンその他による閉鎖止着部である。
【００３３】
図５においての収納バッグ２０は、その素材を例えば不織布材としてあって、バッグ本体２１の外側面には例えば広告宣伝用のロゴその他を表示するようにすると共に、平面で矩形状に広がる底部の外側面に、この底部の扁平状の折り畳み状態を維持するよう止着する例えば面ファスナーから成る保持部２５を設け、開口縁に形成した支持固定部２２内に、この支持固定部２２の拡開時に外出するよう折り込み状に内蔵した取っ手２６を付設したものである。この収納バッグ２０によると、店内で椅子Ｃに取り付けることで使用している場合に、顧客によって使用された収納バッグ２０それ自体を支持体１から取り外すことで顧客にそのまま使用させることができ、例えば店舗案内、販売促進のため等の宣伝用に使用することができる。
【００３４】
次にこれの使用の一例を説明すると、開放状態にした支持体１内に配置した収納バッグ２０の支持固定部２２を支持フレーム２の上枠部４、揺動フレーム５の揺動上枠部７それぞれにて折り返し、面ファスナー等にて固定支持すると共に、閉鎖止着部２３にて収納バッグ２０を閉鎖しておき、支持体１のキャスター機構１５を床面に接地させた状態で所定の椅子Ｃの脚部に取付手段１０にて取り付ける。来店した顧客が、そのバッグその他の手荷物Ｂを収納保管するときには、図２に示すように揺動フレーム５側を支持フレーム２から離すように揺動させることで収納バッグ２０を開口し、開口した収納バッグ２０内に収納すれば良い。一時的に離席する等で椅子Ｃを移動するときには、キャスター機構１５によってその移動に追随して自在に移動でき、使用が終了して手荷物Ｂが取り出された後の収納バッグ２０は、図４に示すように閉鎖止着部２３によって閉鎖しておけば良く、次回の使用に備えるものとしておく。
【００３５】
また、例えば不織布材製で広告宣伝用の収納バッグ２０である場合には、支持体１から取り外し、そのまま顧客に提供することも可能である。
【００３６】
尚、図示を省略したが、４脚構造でない椅子Ｃ、例えばカウンター席のポールにも設置することもでき、更には椅子Ｃの構造に対応させた適当な補助部材と共に取付手段１０によって各種の椅子Ｃにも取り付け可能である。
【符号の説明】
【００３７】
Ｂ…手荷物                              Ｃ…椅子
１…支持体                              ２…支持フレーム
３…脚枠部                              ４…上枠部
５…揺動フレーム                        ６…揺動側枠部
７…揺動上枠部                          ８…揺動下枠部
９…軸支部
１０…取付手段                          １１…バンド片
１２…面ファスー
１５…キャスター機構                    １６…キャスターケース
１７…支持ブロック                      １８…キャスターボール
２０…収納バッグ                        ２１…バッグ本体
２２…支持固定部                        ２３…閉鎖止着部
２５…保持部                            ２６…取っ手
【図１】
2015150202.tif 000003
【図２】
2015150202.tif 000004
【図３】
2015150202.tif 000005
【図４】
2015150202.tif 000006
【図５】
2015150202.tif 000007
【図６】
2015150202.tif 000008
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
椅子に取り付け可能にしてある揺動開閉自在な支持体と、この支持体内に着脱自在に支持装着される開閉自在な収納バッグとから成り、支持体は、椅子の脚に沿うように配置される前後の脚枠部の上端相互を上枠部にて連結して形成した支持フレームと、この支持フレームに対して側方に揺動拡開可能にして軸支部によって連結されていて、支持フレームに対する折畳時の脚枠部に沿う前後の揺動側枠部の上端相互を、同じく折畳時の上枠部に沿う揺動上枠部によって、また前後の揺動側枠部の下端相互を揺動下枠部によってそれぞれ連結して形成した揺動フレームと、椅子の脚に支持フレームを取り付ける取付手段と、支持体自体を床面上で支持し、椅子の移動に追随させるよう支持フレームの下端に設けられたキャスター機構とを備えて成り、収納バッグは、所定深さのバッグ本体の開口部に、支持体が揺動開放されたときの支持フレームの上枠部、揺動フレームの揺動上枠部それぞれに係合、固定される支持固定部を設けて成り、前記キャスター機構は、支持フレームの下端に固定され、下端の開口が窄まっている筒状のキャスターケースと、このキャスターケース内の上部に内装されていて、下端面が下方に突出した彎曲面となっている支持ブロックと、支持ブロックの彎曲面に点接触状に当接しながらキャスターケース下端から臨ませられて床面上で転動するキャスターボールとから成ることを特徴とする手荷物収納装置。
【請求項２】
軸支部は、支持フレームの脚枠部と揺動フレームの揺動側枠部との軸支部位において、揺動側枠部の下端、脚枠部の軸支部位それぞれを圧潰して扁平化すると共に、扁平化した部分に軸ピンを貫挿して成る請求項１に記載の手荷物収納装置。
【請求項３】
取付手段は、椅子の脚に巻回可能にした所定長さのバンド片を支持フレームにおける脚枠部に連結すると共に、バンド片の両面に所定長さの面ファスナーを設けて成る請求項１または２に記載の手荷物収納装置。
【請求項４】
収納バッグの支持固定部は、支持体内に配置したバッグ本体の開口部縁を支持体の内方から支持フレームの上枠部、揺動フレームの揺動上枠部それぞれの外側に折り返し、折り返した内側面相互間を取り外し可能に止着して成る請求項１乃至３のいずれかに記載の手荷物収納装置。
【請求項５】
収納バッグは、バッグ本体における平面で矩形状に広がる底部の外側面に、この底部の扁平状の折り畳み状態を維持するよう止着する保持部を設け、開口縁に形成した支持固定部内に、この支持固定部の拡開時に外出するよう折り込み状に内蔵した取っ手を付設して成る請求項１乃至４のいずれかに記載の手荷物収納装置。
【手続補正２】
【補正対象書類名】明細書
【補正対象項目名】０００７
【補正方法】変更
【補正の内容】
【０００７】
上述した課題を解決するため、本発明にあっては、後述する発明を実施するための形態における使用符号を付記して説明すると、椅子Ｃに取り付け可能にしてある揺動開閉自在な支持体１と、この支持体１内に着脱自在に支持装着される開閉自在な収納バッグ２０とから成り、支持体１は、椅子Ｃの脚に沿うように配置される前後の脚枠部３の上端相互を上枠部４にて連結して形成した支持フレーム２と、この支持フレーム２に対して側方に揺動拡開可能にして軸支部９によって連結されていて、支持フレーム２に対する折畳時の脚枠部３に沿う前後の揺動側枠部６の上端相互を、同じく折畳時の上枠部４に沿う揺動上枠部７によって、また前後の揺動側枠部６の下端相互を揺動下枠部８によってそれぞれ連結して形成した揺動フレーム５と、椅子Ｃの脚に支持フレーム２を取り付ける取付手段１０と、支持体１自体を床面上で支持し、椅子Ｃの移動に追随させるよう支持フレーム２の下端に設けられたキャスター機構１５とを備えて成り、収納バッグ２０は、所定深さのバッグ本体２１の開口部に、支持体１が揺動開放されたときの支持フレーム２の上枠部４、揺動フレーム５の揺動上枠部７それぞれに係合、固定される支持固定部２２を設けて成ることを特徴とする。
軸支部９は、支持フレーム２の脚枠部３と揺動フレーム５の揺動側枠部６との軸支部位において、揺動側枠部６の下端、脚枠部３の軸支部位それぞれを圧潰して扁平化すると共に、扁平化した部分に軸ピンを貫挿して成ることで構成することができる。
取付手段１０は、椅子Ｃの脚に巻回可能にした所定長さのバンド片１１を支持フレーム２における脚枠部３に連結すると共に、バンド片１１の両面に所定長さの面ファスナー１２を設けて成ることで構成することができる。
前記キャスター機構１５は、支持フレーム２の下端に固定され、下端の開口が窄まっている筒状のキャスターケース１６と、このキャスターケース１６内の上部に内装されていて、下端面が下方に突出した彎曲面となっている支持ブロック１７と、支持ブロック１７の彎曲面に点接触状に当接しながらキャスターケース１６下端から臨ませられて床面上で転動するキャスターボール１８とから成ることで構成することができる。
収納バッグ２０の支持固定部２２は、支持体１内に配置したバッグ本体２１の開口部縁を支持体１の内方から支持フレーム２の上枠部４、揺動フレーム５の揺動上枠部７それぞれの外側に折り返し、折り返した内側面相互間を取り外し可能に止着して成ることで構成することができる。
収納バッグ２０は、バッグ本体２１における平面で矩形状に広がる底部の外側面に、この底部の扁平状の折り畳み状態を維持するよう止着する保持部２５を設け、開口縁に形成した支持固定部２２内に、この支持固定部２２の拡開時に外出するよう折り込み状に内蔵した取っ手２６を付設することで構成することができる。
【手続補正３】
【補正対象書類名】明細書
【補正対象項目名】０００８
【補正方法】変更
【補正の内容】
【０００８】
以上のように構成された本発明に係る手荷物収納装置にあって、例えば飲食店における椅子Ｃの側部に収納バッグ２０を開閉自在に支持している支持体１を取り付けることで、来店した顧客は着席した自身の椅子Ｃに所定の手荷物Ｂを収納保管でき、手荷物Ｂを身近に置いて顧客自身で常時の監視、確認を可能にさせる。
収納バッグ２０は、支持体１における支持フレーム２と揺動フレーム５との揺動開閉によって、使用時では開放させての手荷物Ｂの収納保持、手荷物Ｂを取り出した閉鎖状態の不使用時では椅子Ｃの例えば側部で扁平状にコンパクト化させ、邪魔となるようにはさせない。
支持体１における支持フレーム２に設けた取付手段１０は、バンド片１１の面ファスナー１２が椅子Ｃの脚の太さその他が異なっていてもこれに対応させた調整位置で巻回装着させる。
支持体１の支持フレーム２の下端に設けたキャスター機構１５は、取付手段１０にて椅子Ｃの脚に取り付けた支持フレーム２を床面上で直接に支持し、支持フレーム２内に収納保持した手荷物Ｂの荷重を支持し、その支持状態で椅子Ｃが移動されても、下端面が彎曲している支持ブロック１７とキャスターボール１８とが点接触状に当接していることとも相俟ち、椅子Ｃの移動に円滑に追随させ、顧客の一時的な離席時でも椅子Ｃを転倒させることなく維持させる。
収納バッグ２０は、開口部における支持固定部２２が、揺動開閉する支持フレーム２の上枠部４、揺動フレーム５の揺動上枠部７それぞれに固定支持されることで、支持体１自体の揺動開閉の範囲を規制し、手荷物Ｂを収納させるに足る必要以上に拡開させない。また上枠部４、揺動上枠部７それぞれに対して収納バッグ２０内方から折り返し状に支持してあることで、収納バッグ２０の開口部における手荷物Ｂの出し入れを容易にさせる。
収納バッグ２０の保持部２５は、矩形状に広がる底部を扁平状に折り畳ませて、支持体１における支持フレーム２に対する揺動フレーム５の揺動開放時の側面鋭角状の底部形状に対応させ、支持体１から取り外したときの拡開によって手荷物Ｂを安定的に収納保持し、支持固定部２２内から取り出した取っ手２６は、収納バッグ２０による手荷物Ｂの携帯を容易にさせる。
【手続補正４】
【補正対象書類名】明細書
【補正対象項目名】００１２
【補正方法】変更
【補正の内容】
【００１２】
取付手段１０は、椅子Ｃの脚に巻回可能にして脚枠部３に連結したバンド片１１の両面に所定長さの面ファスナー１２を設けて成るから、異なる太さ、大きさの各種の椅子Ｃの脚に対応して調整した止着部位によって巻回装着でき、しかも巻回装着によって確実に固定でき、汎用性に富み、取り扱いも容易である。そればかりでなく、この取付手段１０は、椅子Ｃの脚に巻回させるにすぎないから、収納バッグ２０に収納した手荷物Ｂによる荷重その他によって支持体１を下方に押し下げさせることになり、キャスター機構１５による荷重の支持と共に安定性を一層向上させることができる。
【手続補正５】
【補正対象書類名】明細書
【補正対象項目名】００２５
【補正方法】変更
【補正の内容】
【００２５】
また、支持体１には、椅子Ｃに支持フレーム２を取り付ける取付手段１０が、支持フレーム２の上下部それぞれに付設することで設けられている。図示例の取付手段１０は、支持フレーム２における脚枠部３に巻回状に連結した所定長さのバンド片１１の両面に所定長さの面ファスナー１２を設けて成る。バンド片１１は、その一端にて脚枠部３に巻回させる筒部を形成し、他端側の一方の片面に面ファスナー１２の雌面を、他方の片面に雄面をそれぞれ形成してあって、椅子Ｃの脚部に沿わせた脚枠部３と共に巻回させて適宜位置で止着することで支持フレーム２を脚部に取り付けできるようにしてある。このような巻回式に装着するバンド構造の取付手段１０とすることで、取付時の巻回長さが異なる場合にも脚部の太さ、径等に対する面倒な調整を要せずに対応できる。
【手続補正６】
【補正対象書類名】明細書
【補正対象項目名】００２７
【補正方法】変更
【補正の内容】
【００２７】
支持体１を椅子Ｃの脚部に取り付けたときの支持体１自体を床面上で支持し、椅子Ｃの移動に支持体１を追随させるキャスター機構１５が支持フレーム２の下端に設けられている。このキャスター機構１５は図５に示すように、支持フレーム２における脚枠部３の下端に固定され、下端の開口が窄まっている筒状のキャスターケース１６と、このキャスターケース１６内の上部から内装されていて、下端面が下方に突出した彎曲面となっている支持ブロック１７と、支持ブロック１７の彎曲面に点接触状に当接しながらキャスターケース１６下端から臨ませられて床面上で転動するキャスターボール１８とから成る。
【手続補正７】
【補正対象書類名】明細書
【補正対象項目名】００３７
【補正方法】変更
【補正の内容】
【００３７】
Ｂ…手荷物                              Ｃ…椅子
１…支持体                              ２…支持フレーム
３…脚枠部                              ４…上枠部
５…揺動フレーム                        ６…揺動側枠部
７…揺動上枠部                          ８…揺動下枠部
９…軸支部
１０…取付手段                          １１…バンド片
１２…面ファスナー
１５…キャスター機構                    １６…キャスターケース
１７…支持ブロック                      １８…キャスターボール
２０…収納バッグ                        ２１…バッグ本体
２２…支持固定部                        ２３…閉鎖止着部
２５…保持部                            ２６…取っ手